(57)【要約】【課題】本発明は構造が簡単であって安価に製造することができ、使用中に係止具が外れるといった可能性のない食品保温容器の肩部分及び係止具の取り付け構造を提供する。【解決手段】ランチジャーなどの食品保温容器において、開放されている容器本体１の上端外周部分に環状の肩部材４を強制嵌合するとともに、肩部材４に回動自在の係止具６を備えた環状の肩カバー５を取り付ける。このとき、肩カバー５の一部に外方に突出させて形成した支持片７に係止具６の基端部を軸体８によって回動自在に支持させておき、肩部材４に形成した一定間隔の保護壁９，９の間に挿入させる。これにより、係止具の軸着部分の両端が保護壁間に介在することになり、軸体８が抜け落ちる可能性がなくなる。【選択図】  図１
2004352263.tif 000002
【特許請求の範囲】
【請求項１】
上端を開放した保温構造の容器本体内部に、飯器や汁器といった小容器を収容し、上端の開放部分に着脱自在の蓋を装着する食品保温容器において、
容器本体の上端外周部分に環状の肩部材を強制嵌合するとともに、該肩部材に回動自在の係止具を備えた環状の肩カバーを取り付け、肩カバーに取り付けた係止具を蓋の一部に係脱させることを特徴とする食品保温容器。
【請求項２】
肩カバーに取り付ける係止具は、肩カバーの一部に外方に突出させて形成した支持片に係止具の基端部を軸体によって回動自在に支持させるとともに、肩部材の外側面縦方向に一定間隔を隔てて形成した保護壁の間に、前記軸体によって支持された肩カバーの支持片と係止具の支持部分を挿入し、軸体の両端部を保護壁間に介在させたことを特徴とする請求項１記載の食品保温容器。
【請求項３】
容器本体の上端開放部を覆う蓋の下端は肩カバーの上端に支受させ、蓋の下端と肩部材との間に僅かな隙間を保持させたことを特徴とする請求項１又は２記載の食品保温容器。
【発明の詳細な説明】
【０００１】
【発明の属する技術分野】
本発明はランチジャーと通称されるような保温弁当箱、その他着脱自在の蓋を備えた食品保温容器の構造に関する発明である。
【０００２】
【従来の技術】
従来のランチジャーなどの食品保温容器の蓋は、容器本体の上端に装着した肩部材の側面に回動自在の係止具を取り付け、この係止具を蓋の一部に係脱させることによって着脱自在としている。肩部材に取り付ける係止具は、特許文献１に開示されるように、肩部材に所要間隔をあけて形成した突出部に支軸を設け、この支軸によって係止具の基端部を支持させる方法が知られている。すなわち、肩部材に形成した支持壁部分に軸体を貫通させ、その軸体に係止具を軸支させるものである。
【０００３】
特許文献２に図示されている先行技術は、肩部材に突出形成した支持部分の下面に、係止具に備えた軸を支持させて、上方に回動させた支持部材が外れないようにするものである。その他、従来の係止具支持構造として肩部材に軸体を一体成型し、この軸体に係止具の基端に形成したフック状の溝構造部分を嵌合させる構造などが知られている。そして、従来の肩部材は、真空二重びんなどの容器本体上端に嵌合させ、かつその構造が容器本体上端部の内外側面を見栄えよく覆う形状、構造としている。
【０００４】
【特許文献１】
特開平１０−１４６４３号公報（図１，図３）
【特許文献２】
特開２０００−３１３４５８号公報（図２）
【０００５】
【発明が解決しようとする課題】
特許文献１に開示されるように、肩部材に形成した壁部分に別の軸体を用いて取り付ける方法では、例え圧入するとしても装着した軸体が抜け落ちる可能性があるという欠点がある。また、特許文献２に開示されている、肩部材の突出部分に係止具に形成した軸部を支持させる方法や、肩部材に一体成型した軸部に係止具の溝構造部分を嵌合させる方法は、係止部材が外れ易いことや強度が弱いなどといった欠点がある。
さらに、従来の肩部材は、容器本体の上端を嵌合させ見栄えよく覆う構造、特に容器本体の上端部の内周面と外周面を覆う構造や、係止具の支持部構造を形成することなどから全体構造が複雑なものとなり、金型が高価なものとなってコストアップの一因となっていた。
【０００６】
上記従来技術の欠点に鑑み、本発明は構造が簡単であって安価に製造することができるとともに、係止具の取り付け構造を簡略化し、かつ丈夫で使用中に係止具が外れる可能性のない食品保温容器の肩部分及び係止具の取り付け構造を提供することを目的とするものである。また、係止具によって蓋を安定的に保持することができるようにするものである。
【０００７】
【課題を解決するための手段】
上記目的を達成するため、本発明は、上端を開放した保温構造の容器本体１内部に、飯器や汁器といった小容器２を収容し、上端の開放部分に着脱自在の蓋３を装着する食品保温容器において、容器本体１の上端外周部分に環状の肩部材４を強制嵌合する。容器本体１に強制嵌合した肩部材４には、別に成型した環状の肩カバー５を装着し、肩カバー５に回動自在の係止具６を備えておく。これにより、容器本体１の肩部分に係止具６を配置させ、該係止具６を蓋３の一部に係脱させる。
【０００８】
肩カバー５に取り付ける係止具６は、肩カバー５の一部に外方に突出させて形成した支持片７，７に係止具６の基端部を軸体８によって支持させる。さらに、肩部材４の外側面縦方向に一定間隔を隔てて保護壁９，９を形成し、保護壁９，９の間に、前記軸体８によって支持された肩カバー５の支持片７と係止具６の支持部分を挿入する。この構造とすることによって、軸体８の両端部は保護壁９，９間に介在されることになり、軸体８が抜け落ちる可能性がなくなる。
【０００９】
なお、容器本体１の上端開放部を覆う蓋３の下端は、肩部材ではなく、肩カバー５の上端に支受させ、蓋の下端と肩部材との間に僅かな隙間を保持させた状態で係止具６と蓋３を係脱させるようにすると、肩部材４と肩カバー５との製品寸法のバラツキや組立て精度のバラツキによって蓋３を装着したときに発生する可能性のある蓋３を保持する強度や係止具６の開閉荷重のバラツキをなくすることができる。これにより、蓋３を安定的に保持することができる。
【００１０】
【発明の実施の形態】
以下、本発明に係る、食品保温容器の実施形態を、添付の図面に基づいて説明する。
図１は、本発明の実施形態に係る食品保温容器、具体的にはランチジャーの上部のみの分解斜視図、図２はランチジャー全体の斜視図、図３は図１、図２に示すランチジャーの縦断面図である。
【００１１】
図示例の食品保温容器の容器本体１は、金属製の真空二重びんでその上端に肩部構造を形成するとともに、下端に底体１０を強制嵌合している。また、肩部構造を備えた容器本体１の上端には、蓋３を着脱自在に装着するとともに、容器本体１の内部に菜入れ、汁器、飯器といった複数の小容器２，２を収容することができるようにしている。容器本体の側面部分には、箸箱１１を脱落しないように係合状態で保持させている。
【００１２】
容器本体１上端の肩部構造は、図１及び図４から理解されるように、真空二重びんの上端外周面に強制嵌合される環状の肩部材４と、肩部材４に嵌合その他の手段によって取り付ける肩カバー５で構成している。環状の肩部材４の内周面には、凹溝１２を形成するとともに、容器本体１の上部外周面に凸条１３を形成し、該凸条１３を肩部材４の凹溝１２に押圧して嵌め込むことによって肩部材４が容器本体１の上端部分に強制嵌合される。
【００１３】
肩部材４に取り付ける肩カバー５は、肩部材４の内周面に嵌合させる。すなわち、図３に示すように容器本体１の上端よりも上方に突出する肩部材の内周面に受け爪状の係合段部１４を形成するとともに、肩部材４の上端面に覆い被さる肩カバー５の外周面に環状の掛け爪１５を形成し、肩部材４の上方から肩カバー５を強制的に嵌め込むことによって、前記係合段部１４に掛け爪１５を係合させる。肩カバー５の下端部は、図５に示すように容器本体１の上端部の内周面を覆うことによって、真空二重びんである容器本体１の上端部が外観に現れるのを防止する。肩部材４に対する肩カバー５の取り付け方法は、図示例においては爪嵌合としているが、螺着その他の方法であっても良い。すなわち、容器本体１の上端部に形成する肩部構造を、環状の肩部材４と肩カバー５で構成している。そのため、本発明に係る肩部材は、従来の肩部材のように、容器本体１上端部の外周及び内周の両方を覆う構造のように複雑な構造の金型を必要とせず、肩部材４と肩カバー５の両者の金型を比較的単純な構造とすることができる。したがって、全体として金型コストを低減することができる。
【００１４】
肩カバー５には、対向位置の二箇所に、外方に突出する支持片７，７を、それぞれ一定間隔に配置している。また、バックルとして機能する係止具６の基端部に、前記支持片７，７の間隔に相当する長さのボス６ａを形成し、支持片７，７の間にボス部６ａを挿入し、ボス部６ａと支持片７，７とに軸体８を貫通させることによって係止具６を回動自在に取り付けている。支持片７とボス部６ａは、軸方向の長さを逆とすることもできる。すなわち、係止具６に一定間隔の二箇所にボス部を形成するとともに、ボス部の間隔に相当する長さの支持片７を肩カバー５に突出させ、ボス部の間に支持片を挿入させた状態で軸体８を貫通させるものであってもよい。
【００１５】
肩部材４の外周面には、図１に示すように対向する二箇所に一定寸法を隔てた一対の保護壁９，９を縦方向に突出成型している。また、保護壁９，９間の肩部材上端部分に、切欠部１６，１６を設けている。この切欠部１６，１６は、少なくとも肩カバー５に突出形成した支持片７の基部が通過する大きさである。さらに、支持片７の外側面に爪１７を突出させるとともに、保護壁９の内側面に、前記爪１７が係合する凹所１８を形成している。
【００１６】
以上述べた、肩部の構造について、その組立て順序を説明すると、図４に示すように、まず肩部材４を容器本体１の上端部に強制嵌合させる。次いで、肩部材４の上端部分に肩カバー５を押圧することによって強制嵌合させる。このとき、肩カバー５の支持片７，７に、予め係止具６を軸体８によって取り付けておくとともに、肩カバー５の取り付けに際しては外方に突出する支持片７部分を、肩部材４の切欠部１６部分を通過させ、係止具６を取り付けた支持片７，７の両端を保護壁９，９間に嵌め込む。これにより、図５に示すように係止具６が回動自在に支持されるとともに、係止具の支持部分、具体的には支持片７，７の両端面が保護壁によって閉塞され、軸体８が閉じ込められた状態となって軸体８が脱落する可能性がなくなる。なお、支持片７の外側面に形成した爪１７と保護壁９の内側面に形成した凹所１８が係合することによって、係止具６の取り付け部分の組立て状態が安定し、確実に組立て状態を維持する。
【００１７】
上記、容器本体１の肩部構造にカップ状の蓋３を装着して、容器本体１の開放端を覆い食品保温容器として容器本体１内に収容した食品を安全に保護する。このとき、係止具６の先端部分に形成した掛け爪１９を、蓋３の外側面に突出形成した受け爪２０に係合させることによって蓋３をしっかりと固定し、保温容器としての密閉状態を維持するものである。
【００１８】
蓋３を容器本体１の肩部分に装着するに際し、蓋３の下端は肩部材４の上端ではなく、肩カバー５の一部に支受させる。その理由は、係止具６は基本的に肩カバー５に支持されているものであるため、蓋３を肩部材４に支受させると、肩部材４と肩カバー５の上下方向の寸法誤差や組立て誤差によって、係止具６と蓋３の受け爪２０との関係位置が一定せず、蓋のガタツキや締め付け強度、換言すれば開閉荷重のバラツキとなって現れるためである。このとき、蓋３の下端と肩部材４の上端との間に、僅かな隙間を設定しておくことによって、寸法誤差や組立て誤差など何らかの理由によって蓋３の下端が肩部材４に衝突し、実質的に蓋の下端が肩部材に支受される事態を回避することができる。
【００１９】
図示実施形態の食品保温容器では、容器本体１の側面に箸箱１１を保持させている。容器本体１の外側面に箸箱を保持させることは、特開平９−３３２号や特開２００３−５２４３８号に開示されているように公知である。いずれにしても、箸箱１１を容器本体１の側面に保持させるには、箸箱の下端部を支持する下端保持部２１と、箸箱１１の上部を支持する上部支持部２２を設け、箸箱１を自由に着脱することができるとともに、妄りに脱落しないように弾性的な掛け爪によって係止させるのが望ましい。真空二重ビンの外表面を露出させる構造の食品保温容器においては、容器本体１の底部に装着する底体１０に下端保持部２１を、容器本体１の上部に装着する肩部材４に上部支持部２２を設ける。
【００２０】
この種、従来の食品保温容器（ランチジャー）においては、底体に下端保持部を一体に形成し、該下端保持部に箸箱を弾性的に保持するための弾性片を形成している。具体的には、底体１０の一部をコ字状に切除することによって、弾性片を形成していた。このようなものでは、弾性片としての機能が底体１０の材質によって決定されるため、必ずしも機能的に優れた弾性片とすることができなかった。また、弾性片を形成するための切除部分から、洗浄などに際して底体１０の内部に水が浸入する可能性があるという欠点があった。
【００２１】
そこで、図示実施形態の食品保温容器では、図７に示すように、下端保持部２１において底体１０そのものには弾性片を形成せず、単に箸箱１１の一端を保持することができる形状として成型する。そして、底体１０に形成した下端保持部２１に、別に成型した弾性片２３を装着し、図８に示すように別に成型する弾性片２３に形成した掛け爪２４を、箸箱１１に形成した係合部２５に係合させることによって、箸箱１１を弾性的に保持させる。
【００２２】
底体１０に形成した下端保持部２１に装着する弾性片２３は、図９に示すように板状に形成した弾性体本体２３ａにＵ字状の切り込み２６を形成することによって、弾性体本体２３ａに対して弾性的に撓む舌片２３ｂを形成し、舌片２３ｂの先端に掛け爪２４を形成する。そして、弾性片２３全体を弾性に優れた材質の合成樹脂材で一体に成型することによって、好ましい弾発性を備えたものとすることができる。
【００２３】
なお、弾性体本体２３ａの基端部にはベース部２３ｃを形成するとともに、先端部分に薄肉の差し込み部２３ｄを形成してある。一方、底体に一体成型する下端保持部２１には、底壁２１ａに貫通孔２７を穿設するとともに上端部分に受け片２１ｂを突出させている。したがって、ベース部２３ｃを下端保持部２１に装着するには、図７に示すように下端保持部２１の下方から弾性片２３を挿入し、弾性片２３の上端を受け片２１ｂに支受させるとともに、ベース部２３ｃを貫通孔２７に嵌め込んで支持させることによって、図８に示すように箸箱の下端保持部構造を完成させることができる。このような箸箱の下端保持部構造は、底体１０自体に切欠部を形成する必要がないため、底体の内部に水が浸入することがない。さらに、底体１０の材質に関係なく弾性的に優れた材質で弾性片２３を成型することができる。このとき、弾性片として例え高価な材質のものを採用しても、これが小さなものであるため、全体として安価に提供することができることになる。
【００２４】
箸箱１１には、上下左右対称位置に、下端保持部２１にある掛け爪２４に係合する係合部２５を形成することによって、箸箱１１を上下左右いずれの方向に挿入しても、しっかりと保持させることができる。すなわち、箸箱１１は上部支持部２２を通過させ、その下端部を下端保持部２１に支受させる。このとき、掛け爪２４の弾性に抗して強く押し込むことによって、掛け爪２４を箸箱１１の係合部２５に係合させる。
【００２５】
【発明の効果】
請求項１記載の本発明食品保温容器によれば、ランチジャーなどの食品保温容器における、容器本体の肩部分の構造を、肩部材と肩カバーの二つの部品で構成することによって、二つの部品のそれぞれを成型が容易な構造とすることができる。特に、従来の内外二重構造の肩部材といった、複雑な金型が必要な構造を避けることができるため、金型コストを大幅に低減することができ、食品保温容器を安価に提供することができる。
【００２６】
請求項２記載の発明によれば、肩カバーに突出させた支持片に係止具を支持させ、この肩カバーを肩部材に装着する。したがって、肩カバーを肩部材に装着することによって、係止具と係止片の支持部分の両側が、肩部材に形成した保護壁間に介在することになる結果、軸体が抜け落ちて係止具が脱落するといった可能性がなく、安心して使用することができる。
【００２７】
請求項３記載の発明によれば、容器本体の上端開放部を覆う蓋の下端が肩部材ではなく、肩カバーの上端に支受される。そして、蓋の下端と肩部材との間に僅かな隙間を保持させた状態で係止具と蓋を係脱させることによって、肩部材と肩カバーとの製品寸法のバラツキや組立て精度のバラツキによって蓋を装着したときに発生する可能性のある蓋を保持する強度や係止具の開閉荷重のバラツキをなくすることができる。
【図面の簡単な説明】
【図１】本発明食品保温容器をランチジャーに応用した実施形態を示す、上部のみの分解斜視図、
【図２】ランチジャー全体の斜視図、
【図３】ランチジャー全体の縦断面図、
【図４】容器本体に肩部材を装着し、肩カバーを分離させた状態の肩部構造のみの縦断面図、
【図５】容器本体に肩部材及び肩カバーを装着した状態の肩部構造のみの縦断面図、
【図６】蓋を装着し、係止具で止めた状態を示す肩部構造の縦断面図、
【図７】箸箱の下端保持部であって、弾性片を分離させた状態の縦断面図、
【図８】箸箱の下端保持部であって、弾性片を装着した状態の縦断面図、
【図９】箸箱の下端保持部に装着する弾性片のみの斜視図。
【符号の説明】
１…容器本体、  ２…小容器、  ３…蓋、  ４…肩部材、  ５…肩カバー、  ６…係止具、  ６ａ…ボス部、  ７…支持片、  ８…軸体、  ９…保護壁、  １０…底体、  １１…箸箱、  １２…凹溝、  １３…凸条、  １４…係合段部、  １５…掛け爪、  １６…切欠部、  １７…爪、  １８…凹所、  １９…掛け爪、  ２０受け爪、  ２１…下端保持部、  ２１ａ…底壁、  ２１ｂ…受け片、  ２２…上部支持部、  ２３…弾性片、  ２３ａ…弾性体本体、  ２３ｂ…舌片、  ２３ｃ…ベース部、  ２３ｄ…差し込み部、  ２４…掛け爪、  ２５…係合部、  ２６…切り込み、  ２７…貫通孔。
【図１】
2004352263.tif 000003
【図２】
2004352263.tif 000004
【図３】
2004352263.tif 000005
【図４】
2004352263.tif 000006
【図５】
2004352263.tif 000007
【図６】
2004352263.tif 000008
【図７】
2004352263.tif 000009
【図８】
2004352263.tif 000010
【図９】
2004352263.tif 000011